(57)【要約】【課題】雌雄の区別のない端子金具の構造を簡素化、小型化しながら、安定した電気接触性能を保持する。【解決手段】電線接続部１１と、電線接続部１１に連続する電気接触部１４とを、導電性金属板を折り曲げ加工して一体に形成してなる端子金具１０であり、電気接触部１４は電線接続部１１の基板部１２を延在させて長方形状に突出させた基板部１５を備え、基板部１５の突出側部分を第１電気接触部１６とする一方、第１電気接触部１６より電線接続部側の基板部１５の中間位置に電線接続部側を連続させて下向きに突出させたバネ性を有する切り起し片を設け、該切り起し片の突出側を上向きに屈曲して円弧状とした第２電気接触部１７を設けている。【選択図】図２
2014099370.tif 000002
【特許請求の範囲】
【請求項１】
電線接続部と、該電線接続部に連続する電気接触部とを、導電性金属板で一体に形成してなる端子金具であり、
前記電線接続部は、電線を上面に載置する基板部の側縁から圧着片または圧接片を突設しており、
前記電気接触部は前記電線接続部の基板部を延在させて長方形状に突出させた基板部を備え、該基板部の突出先端側部を第１電気接触部とする一方、該第１電気接触部より電線接続部側の基板部の中間位置に電線接続部側を連続させて下向きに突出させた切り起し片を設け、該切り起し片の突出側を上向きに屈曲して円弧状とした第２電気接触部を設けた形状としている端子金具。
【請求項２】
前記第１電気接触部は、前記基板部の突出先端側を上向きに円弧状に屈曲すると共に該屈曲部に嵌合凸部を形成する一方、前記第２電気接触部に嵌合凹部を設けている請求項１に記載の端子金具。
【請求項３】
請求項１に記載の端子金具を、互いに電気接続する一対の第１電線と第２電線をそれぞれ前記電線接続部に接続し、前記電気接触部を上下逆方向に配置して、前記第１電気接触部と第２電気接触部とを互いに接触して電気接続する構成としている電線の接続構造。
【請求項４】
請求項２に記載の端子金具を、互いに電気接続する一対の第１電線と第２電線をそれぞれ前記電線接続部に接続し、前記電気接触部を上下逆方向に配置して、前記第１電線の前記嵌合凸部と前記第２電線の前記嵌合凹部とを嵌合して電気接続する構成としている電線の接続構造。
【発明の詳細な説明】
【技術分野】
【０００１】
本発明は端子金具および該端子金具を取り付けた電線の接続構造に関し、詳しくは、雌雄の区別のない端子金具の構造を簡素化しつつ、優れた電気接触性能を保持するものである。
【背景技術】
【０００２】
従来、電線同士の接続は、一方の電線端末に接続された雄端子金具と、他方の電線端末に接続された雌端子金具との嵌合により行われている。雄端子金具１は、例えば図７（Ａ）に示すように、被覆バレル２ａや芯線バレル２ｂからなる電線接続部２に連続してタブ状の電気接触部３を突出させている一方、雌端子金具４は例えば図７（Ｂ）に示すように、電線接続部５に連続して、前記雄端子金具１のタブ状の電気接触部３を受け入れて接触可能とする角筒状の電気接触部６を突出させている。
【０００３】
しかし、前記構成の端子金具では、雄端子金具１と雌端子金具４の使い分けが必要となると共に、形状の異なる雄端子金具１および雌端子金具４を収容するハウジングの使い分けも必要となるため、電線接続に必要な部品の種類が増大するという問題がある。
【０００４】
そこで、特開平７−２８８１４８号公報（特許文献１）では、図８に示すように、平板状の雄機能部８と、雄機能部８が嵌合可能な筒形状の雌機能部９とを平行配置した端子金具７を提案し、同じ構造を有する端子同士の接続を可能としている。
【先行技術文献】
【特許文献】
【０００５】
【特許文献１】特開平７−２８８１４８号公報
【発明の概要】
【発明が解決しようとする課題】
【０００６】
前記構造の端子金具７を用いることにより、従来のような雄端子金具と雌端子金具の使い分けは不要となるものの、雄機能部８と雌機能部９とを平行配置しているため端子金具７の幅が広がって大型化すると共に、端子金具７の構造も複雑化するという問題がある。
【０００７】
本発明は前記問題に鑑みてなされたもので、雌雄の区別のない端子金具の構造を簡素化、小型化しながら、優れた電気接触性能を保持することを課題とするものである。
【課題を解決するための手段】
【０００８】
前記課題を解決するため、本発明は、電線接続部と、該電線接続部に連続する電気接触部とを、導電性金属板で一体に形成してなる端子金具であり、
前記電線接続部は、電線を上面に載置する基板部の側縁から圧着片または圧接片を突設しており、
前記電気接触部は前記電線接続部の基板部を延在させて長方形状に突出させた基板部を備え、該基板部の突出先端側部を第１電気接触部とする一方、該第１電気接触部より電線接続部側の基板部の中間位置に電線接続部側を連続させて下向きに突出させた切り起し片を設け、該切り起し片の突出側を上向きに屈曲して円弧状とした第２電気接触部を設けた形状としている端子金具を提供している。
【０００９】
また、本発明は、前記端子金具を、互いに電気接続する一対の第１電線と第２電線をそれぞれ前記電線接続部に接続し、前記電気接触部を上下逆方向に配置して、前記第１電気接触部と第２電気接触部とを互いに接触して電気接続する構成としている電線の接続構造を提供している。
具体的には、前記第１電線に接続した前記基板部の上面を上向き、前記第２電線に接続した前記基板部の上面を下向きとし、前記第１電線の第１電気接触部に第２電線の第２電気接触部が押し当てられて電気接触すると共に、前記第１電線の第２電気接触部を第２電線の第１電気接触部に押し当てて電気接触する構成としている。
【００１０】
前記本発明の端子金具では、長方形状に突出させた電気接触部の基板部の突出側部分を第１電気接触部とし、該第１電気接触部より電線接続部側の基板部の中間位置に第２電気接触部を設ける細幅でシンプルな構成としている。特に、第２電気接触部は、電線接続部側を連続させて下向きに突出させたバネ性を有する切り起し片の突出側を上向き円弧状に屈曲したものであり、比較的容易な切り起し、曲げ加工で形成可能である。
【００１１】
このようなシンプルな端子構造としても、前記構成によれば、互いに電気接続する第１電線の端子金具と第２電線の端子金具を嵌合した際に、電気接触部の基板部同士の接触により電気接触できると共に、前記各基板部突出側の第１電気接触部に接続相手方端子金具のバネ力を有する第２電気接触部を押し当てることが可能となるため、電気接触性能をさらに高めることができる。即ち、前記構成により、雌雄の区別のない端子金具の構造を簡素化、小型化しながら、優れた電気接触性能を保持することが可能となる。また、嵌合する一対の端子金具が雌雄の区別のない同形の端子金具であるため、該端子金具を収容するハウジングも同一形状として、電気接続に必要な部品の種類を低減できる。さらに、端子金具の構造を簡素化することで加工工数が低減されるため、端子金具の効率的な製造が可能となる。
【００１２】
なお、前記第２電気接触部の押し当て力（バネ力）を高めるために、第２電気接触部の上向き円弧状に屈曲させる突出側部分の曲率半径を小さめに設定して、該突出側部分の円弧状外周面が接続相手方端子金具の第１電気接触部に対向して押し当てられることが好ましい。
【００１３】
本発明の端子金具は、前記第１電気接触部は、前記基板部の突出先端側を上向きに円弧状に屈曲すると共に該屈曲部に嵌合凸部を形成する一方、前記第２電気接触部に嵌合凹部を設け、
前記互いに電気接続する前記第１電線の前記嵌合凸部と前記第２電線の前記嵌合凹部とを嵌合できる構成としてもよい。
【００１４】
本発明は、前記端子金具を、互いに電気接続する一対の第１電線と第２電線をそれぞれ前記電線接続部に接続し、前記電気接触部を上下逆方向に配置して、前記第１電線の前記嵌合凸部と前記第２電線の前記嵌合凹部とを嵌合して電気接続する構成としている電線の接続構造を提供している。
具体的には、第１電線に接続した前記基板部の上面を上向き、前記第２電線に接続した前記基板部の上面を下向きとし、前記第１電線の第１電気接触部に第２電線の第２電気接触部を重ねて前記嵌合凸部を前記嵌合凹部に嵌合して電気接触すると共に、前記第２電線の第１接触部に第１電線の第２電気接触部を重ねて前記嵌合凸部を前記嵌合凹部に嵌合して電気接触する構成としている。
前記端子金具の第１電気接触部は例えば押し出し加工や曲げ加工で容易に形成でき、前記第２電気接触部も例えば穴開け加工や切り起し、曲げ加工で容易に形成できる。
【００１５】
前記構成によれば、互いに電気接続する第１電線の端子金具と第２電線の端子金具を嵌合させる際に、電気接触部の基板部同士の接触により電気接触できると共に、前記各基板部突出側の第１電気接触部に接続相手方端子金具の第２電気接触部を弾性的に重ねることが可能となるため、電気接触性能をさらに高めることができる。特に、前記第１電気接触部に接続相手方端子金具の第２電気接触部を重ねた際、第１電気接触部の嵌合凸部を第２電気接触部の嵌合凹部に嵌合することで、電気接触性能のさらなる向上と共に、端子金具の横ズレも防止できる。
【発明の効果】
【００１６】
以上の説明から明らかなように、本発明の端子金具は、長方形状に突出させた電気接触部の基板部の突出側部分に第１電気接触部を設け、該第１電気接触部より電線接続部側の基板部の中間位置に切り起し片で形成した第２電気接触部を設けるだけの細幅でシンプルな構成をとりながら、第１電気接触部に接続相手方端子の第２電気接触部を互いに接触して電気接続できるようにしている。よって、本発明によれば、雌雄の区別のない端子金具の構造を簡素化、小型化しながら、優れた電気接触性能を保持することが可能となり、端子金具の製造効率も高められる。
【図面の簡単な説明】
【００１７】
【図１】第１実施形態の端子金具を示す斜視図である。
【図２】（Ａ）は端子金具に電線を接続した状態を示す斜視図であり、（Ｂ）は側面図である。
【図３】第１電線を接続した端子金具と第２電線を接続した端子金具とを嵌合させた状態を示す側面図である。
【図４】第２実施形態の端子金具を示す斜視図である。
【図５】（Ａ）は端子金具に電線を接続した状態を示す斜視図、（Ｂ）は側面図、（Ｃ）は平面図である。
【図６】（Ａ）は第１電線を接続した端子金具と第２電線を接続した端子金具とを嵌合させた状態を示す側面図、（Ｂ）は第２電線の第１電気接触部に第１電線の第２電気接触部を重ねて嵌合凸部を嵌合凹部に嵌合した状態を示す断面図である。
【図７】従来例を示し、（Ａ）は雄端子金具、（Ｂ）は雌端子金具を示す斜視図である。
【図８】従来例を示す図である。
【発明を実施するための形態】
【００１８】
以下、本発明の実施形態を図面を参照して説明する。
図１乃至図３に本発明の第１実施形態を示す。
本実施形態の端子金具１０は雌雄の区別のない端子金具であって、所要形状に打ち抜いた導電性金属板を折り曲げ加工して一体に形成してなるものである。図１および図２（Ａ）、（Ｂ）に示すように、端子金具１０の一端側に電線Ｗを接続する電線接続部１１を設け、該電線接続部１１に連続して電気接触部１４を設けている。
【００１９】
電線接続部１１は、電線Ｗを上面に載置する基板部１２を備え、該基板部１２の側縁から電線Ｗの絶縁被覆層（シース）を圧着する一対の圧着片１３ａと芯線を圧着する一対の圧着片１３ｂを突設している。
また、電気接触部１４は、電線接続部１１の基板部１２を延在させて長方形状に突出させた基板部１５を備え、該基板部１５の突出側部分を平板状の第１電気接触部１６としている。さらに、第１電気接触部１６より電線接続部１１側の基板部１５の中間位置に第２電気接触部１７を設けている。第２電気接触部１７は、電線接続部側部分１７ａを連続させて下向きに突出させたバネ性を有する切り起し片から形成し、該切り起し片の突出側部分１７ｂを上向きに屈曲させて円弧状としている。
【００２０】
前記構成の端子金具１０を互いに電気接続する一対の第１電線Ｗ１と第２電線Ｗ２の端部にそれぞれ取り付ける。具体的には、図３に示すように、第１、第２電線Ｗ１、Ｗ２の端部をそれぞれ電気接続部１１の基板部１２に載置し、圧着片１３ａで第１、第２電線Ｗ１、Ｗ２のシースを圧着すると共に、圧着片１３ｂでシース端末より露出した第１、第２電線Ｗ１、Ｗ２の芯線を圧着して、第１、第２電線Ｗ１、Ｗ２の端部に端子金具１０の電気接続部１１を接続する。
【００２１】
第１電線Ｗ１に接続した端子金具１０の基板部１２、１５の上面を上向きとし、第２電線Ｗ２に接続した端子金具１０の基板部１２、１５の上面を下向きとして、端子金具１０を互いに嵌合させる。この際、第１電線Ｗ１の端子金具１０の電気接触部１４の基板部１５と、第２電線Ｗ２の端子金具１０の電気接触部１４の基板部１５とが接触して電気接続されると共に、該基板部１５の突出側の第１電気接触部１６が接続相手方の端子金具１０の基板部１５と第２電気接触部１７との間に挿入され、挿入により弾性変形した第２電気接触部１７が第１電気接触部１６を押圧する。即ち、第１電線Ｗ１の端子金具１０の第１電気接触部１６に第２電線Ｗ２の端子金具１０の第２電気接触部１７が押し当てられて電気接触すると共に、第２電線Ｗ２の端子金具の第１電気接触部１６に第１電線Ｗ１の第２電気接触部１７が押し当てられて電気接触する構成としている。
【００２２】
なお、本実施形態では、切り起し先端位置Ｐ１と第１電気接触部１６の先端位置Ｐとの間の寸法Ｌ１を電気接触部１４の全長寸法Ｌの４０〜６０％程度としている。また、切り起し片の幅Ｄ１を電気接触部１４の基板部１５の幅Ｄの５０〜７０％程度としているが、前記数値範囲に限定されるものではない。
また、本実施形態では、第１電気接触部１６に対する第２電気接触部１７の押し当て力（弾性力）を高めるために、第２電気接触部１７の上向き円弧状に屈曲させた突出側部分１７ｂの曲率半径を小さめに設定して該突出側部分１７ｂの円弧状外周面が接続相手方端子金具１０の第１電気接触部１６に対向して押し当てられるようにしている。
【００２３】
前記のように、本実施形態の端子金具１０は、長方形状に突出させた電気接触部１４の基板部１５の突出側部分を第１電気接触部１６とし、該第１電気接触部１６より電線接続部側の基板部１５の中間位置に第２電気接触部１７を設ける細幅でシンプルな構成としている。特に、第２電気接触部１７は、電線接続部側部分１７ａを連続させて下向きに突出させたバネ性を有する切り起し片の突出側部分１７ｂを上向き円弧状に屈曲したものであり、比較的容易な切り起し、曲げ加工で形成できる。
【００２４】
このようなシンプルな端子構造としても、本実施形態によれば、互いに電気接続する第１電線Ｗ１の端子金具１０と第２電線Ｗ２の端子金具１０を嵌合させる際に、電気接触部１４の基板部１５同士の接触により電気接触できると共に、各基板部１５突出側の第１電気接触部１６に、接続相手方端子金具１０のバネ力を有する第２電気接触部１７を押し当てることができるため、電気接触性能をさらに高めることができる。即ち、本実施形態により、雌雄の区別のない端子金具１０の構造を簡素化、小型化しながら、優れた電気接触性能を保持することができる。また、嵌合する一対の端子金具１０は雌雄の区別のない同形の端子金具であるため、該端子金具１０を収容するハウジング（図示せず）も同一形状として、電気接続のために必要な部品の種類を低減できる。さらに、端子金具１０の構造を簡素化することで加工工数が低減されるため、端子金具の効率的な製造が可能となる。
【００２５】
図４乃至図６に本発明の第２実施形態を示す。
本実施形態の端子金具２０も第１実施形態と同様に雌雄の区別のない端子金具であって、所要形状に打ち抜いた導電性金属板を折り曲げ加工して一体に形成してなるものである。図４および図５（Ａ）〜（Ｃ）に示すように、端子金具２０の一端側には電線Ｗを接続する電線接続部２１を設け、該電線接続部２１に連続して電気接触部２４を設けている。電線接続部２１は電線Ｗを上面に載置する基板部２２を備え、該基板部２２の側縁から電線Ｗの絶縁被覆層（シース）を圧着する一対の圧着片２３ａと芯線を圧着する一対の圧着片２３ｂを突設している。
【００２６】
また、電気接触部２４は、前記電線接続部２１の基板部２２を延在させて長方形状に突出させた基板部２５を備え、基板部２５の突出側部分を上向き円弧状に屈曲させて第１電気接触部２６としていると共に、該第１電気接触部２６の屈曲部には押し出し加工により嵌合凸部２７を設けている。
また、第１電気接触部２６より電線接続部２１側の基板部２５の中間位置に第２電気接触部２８を設けている。第２電気接触部２８は電線接続部側部分２８ａを連続させて下向きに突出させたバネ性を有する切り起し片から形成し、該切り起し片の突出側を上向きに屈曲させて円弧状としている。第２電気接触部２８を形成する切り起し片には嵌合凹部２９を設けており、本実施形態では穴開き加工により穴状の嵌合凹部２９を形成しているが、穴状でなく底面を有する凹み状の嵌合凹部としてもよい。
【００２７】
図６（Ａ）に示すように、互いに電気接続する一対の第１電線Ｗ１と第２電線Ｗ２の端部に前記構成の端子金具２０の電気接続部２１をそれぞれ接続し、第１電線Ｗ１に接続した端子金具２０の基板部２２、２５の上面を上向きとし、第２電線Ｗ２に接続した端子金具２０の基板部２２、２５の上面を下向きとして、端子金具２０を互いに嵌合させる。この際、互いの端子金具２０の基板部２５同士が接触して電気接続されると共に、該基板部２５の突出側の第１電気接触部２６が接続相手方の端子金具２０の第２電気接触部２８に弾性的に重ねられ、第１電気接触部２６の嵌合凸部２７が第２電気接触部２８の嵌合凹部２９に嵌合して電気接触される構成としている［図６（Ｂ）］。
【００２８】
前記のように、本実施形態の端子金具２０も、長方形状に突出させた電気接触部２４の基板部２５の突出側部分に第１電気接触部２６を設けると共に、該第１電気接触部２６より電線接続部側の基板部２５の中間位置に第２電気接触部２８を設ける細幅でシンプルな構造とし、第１電気接触部２６は押し出し加工や曲げ加工で容易に形成でき、第２電気接触部２８も穴開け加工や切り起し、曲げ加工で容易に形成できる。
【００２９】
このようなシンプルな端子構造であっても、本実施形態によれば、互いに電気接続する第１電線Ｗ１の端子金具と第２電線Ｗ２の端子金具を嵌合させる際に、電気接触部２４の基板部２５同士の接触により電気接触できると共に、各基板部２５突出側の第１電気接触部２６に、接続相手方端子金具２０の第２電気接触部２８を弾性的に重ねることができるため、電気接触性能をさらに高めることができる。特に、第１電気接触部２６に接続相手方端子金具２０の第２電気接触部２８を重ねた際、第１電気接触部２６の嵌合凸部２７を第２電気接触部２８の嵌合凹部２９に嵌合させることで、電気接触性能のさらなる向上と共に、端子金具２０の横ズレも防止できる。
【００３０】
即ち、本実施形態によっても、雌雄の区別のない端子金具２０の構造を簡素化、小型化しながら、優れた電気接触性能を保持することができる。また、嵌合する一対の端子金具２０が雌雄の区別のない同形の端子金具であるため、該端子金具２０を収容するハウジングも同一形状として、電気接続に必要な部品の種類を低減することができる。また、端子金具２０の構造を簡素化することで加工工数が低減されるため、端子金具２０の効率的な製造が可能となる。
【００３１】
前記第１、第２実施形態では、電気接続部１１、２１の基板部１２、２２の側縁より圧着片１３、２３を突設しているが、端子金具に電線を圧接して接続する場合には基板部の側縁より圧接片を突設していてもよい。
【符号の説明】
【００３２】
１０、２０  端子金具
１１、２１  電線接続部
１２、１５、２２、２５  基板部
１３、２３  圧着片
１４、２４  電気接触部
１６、２６  第１電気接触部
１７、２８  第２電気接触部
２７  嵌合凸部
２９  嵌合凹部
Ｗ１  第１電線
Ｗ２  第２電線
【図１】
2014099370.tif 000003
【図２】
2014099370.tif 000004
【図３】
2014099370.tif 000005
【図４】
2014099370.tif 000006
【図５】
2014099370.tif 000007
【図６】
2014099370.tif 000008
【図７】
2014099370.tif 000009
【図８】
2014099370.tif 000010